(57)【要約】【課題】  先行壁の打ち継ぎ面に後行壁を密着させることができる地中連続壁の構築工法を提供することである。【解決手段】  地中連続壁の構築工法は、固化液入りスラリー３が造成された掘削溝２に壁形成用柱材４を連続的に設置して先行壁１２を形成するとともに、該先行壁１２の打ち継ぎ面１３に仮設用柱材１４を密着状に設置し、上記スラリー３が固化してソイルセメント２０となった後に、上記の仮設用柱材１４を引き抜いて先行壁１２の打ち継ぎ面１３に連結用空隙部２１を形成するとともに、固化液入りスラリー３を造成しながら連結用空隙部２１まで後戻り掘削して後行壁用の掘削溝２３を掘削した後、先行壁の打ち継ぎ面１３に後行壁用の壁形成用柱材４を密着状に設置することである。【選択図】図１
2006070608.tif 000002
【特許請求の範囲】
【請求項１】
固化液入りスラリーが造成された掘削溝に壁形成用柱材を連続的に設置して先行壁を形成するとともに、該先行壁の打ち継ぎ面に仮設用柱材を密着状に設置し、上記スラリーが固化してソイルセメントとなった後に、上記の仮設用柱材を引き抜いて先行壁の打ち継ぎ面に連結用空隙部を形成するとともに、固化液入りスラリーを造成しながら連結用空隙部まで後戻り掘削して後行壁用の掘削溝を掘削した後、先行壁の打ち継ぎ面に後行壁用の壁形成用柱材を密着状に設置することを特徴とする地中連続壁の構築工法。
【請求項２】
仮設用柱材は筒体であり、該筒体の底面が一方側から先行壁に密着する側に向かって下側に傾斜して形成され、筒体の内部が長さ方向に沿って隔壁で二つに分割され、一方の分割室には底蓋が設けられて充填材が充填されていることを特徴とする請求項１に記載の地中連続壁の構築工法。
【発明の詳細な説明】
【技術分野】
【０００１】
本発明は地中連続壁の構築工法に関するものである。
【背景技術】
【０００２】
従来、プレキャストコンクリート製の壁形成用柱材を利用して地中連続壁を構築する工法として、図９に示すようなものがある。この工法は、横行式掘削機を用いて掘削された平面横長状の掘削溝２６に造成された固化液入りスラリー２７内に、プレキャストコンクリート製の壁形成用柱材２８を連続的に設置して地中連続壁２９を構築するものである。また、この他の地中連続壁の構築工法として、例えば特開平８−２８４１５４号公報の発明がある。
【特許文献１】特開平８−２８４１５４号公報
【発明の開示】
【発明が解決しようとする課題】
【０００３】
しかし、上記の地中連続壁の構築工法は、固化液入りスラリーが約１０〜２０時間経過後に固化してソイルセメントになるため、この時間経過後に後行壁を構築する際には先行壁の打ち継ぎ面におけるソイルセメントを掘削・除去する必要があり、先行壁の打ち継ぎ面を傷付けずにこれを除去することが難しかった。さらに先行壁の打ち継ぎ面に付着したソイルセメントをきれいに除去することができないため、後行壁を先行壁の打ち継ぎ面に密着させることができなかった。
【０００４】
本発明はこれらの問題に鑑みてなされたものであり、その目的は、先行壁の打ち継ぎ面に後行壁を密着させることができる地中連続壁の構築工法を提供することである。
【課題を解決するための手段】
【０００５】
以上の課題を解決するための地中連続壁の構築工法は、固化液入りスラリーが造成された掘削溝に壁形成用柱材を連続的に設置して先行壁を形成するとともに、該先行壁の打ち継ぎ面に仮設用柱材を密着状に設置し、上記スラリーが固化してソイルセメントとなった後に、上記の仮設用柱材を引き抜いて先行壁の打ち継ぎ面に連結用空隙部を形成するとともに、固化液入りスラリーを造成しながら連結用空隙部まで後戻り掘削して後行壁用の掘削溝を掘削した後、先行壁の打ち継ぎ面に後行壁用の壁形成用柱材を密着状に設置することを特徴とする。また仮設用柱材は筒体であり、該筒体の底面が一方側から先行壁に密着する側に向かって下側に傾斜して形成され、筒体の内部が長さ方向に沿って隔壁で二つに分割され、一方の分割室には底蓋が設けられて充填材が充填されていることを含むものである。
【発明の効果】
【０００６】
先行壁の打ち継ぎ面に仮設用柱材を密着状に設置し、上記固化液入りスラリーが固化してソイルセメントとなった後に、上記の仮設用柱材を引き抜いて先行壁の打ち継ぎ面に連結用空隙部を形成するとともに、該連結用空隙部まで後戻り掘削して後行壁用の掘削溝を掘削することができるので、先行壁の打ち継ぎ面を傷つけることなくソイルセメントを掘削・除去することができる。さらに先行壁の打ち継ぎ面に仮設用柱材を密着状に設置したことにより、先行壁の打ち継ぎ面にソイルセメントが付着しないのできれいにすることができる。仮設用柱材の底面は一方側から先行壁に密着する側に向かって下側に傾斜して形成されたことにより、仮設用柱材が固化液入りスラリー内に挿入しやすくなる。また筒体の内部が長さ方向に沿って隔壁で二つに分割され、一方の分割室には底蓋が設けられて充填材が充填されたことにより、仮設用柱材を固化液入りスラリー内に挿入すると、底蓋の反力が仮設用柱材を打ち継ぎ面側に密着するように作用する。また全体として下側に向かって先細状になった仮設用柱材が固化液入りスラリーに挿入し易くなるとともに、固化したソイルセメントから引き抜き易くなる。
【発明を実施するための最良の形態】
【０００７】
以下、本発明の地中連続壁の構築工法の実施の形態を図面に基づいて説明する。この地中連続壁の構築工法は、図１に示すように、地盤１に掘削した平面横長状の掘削溝２の固化液入りスラリー３内に壁形成用柱材４を連続的に挿入して形成するものである。この掘削溝２は、図２に示す横行式掘削機（以下掘削機という）８で掘削されるものであり、該掘削機８はチェーンポスト５に装着されたチェーン７にカッタービット６が取り付けられて構成されている。よって、チェーンポスト５のチェーン７を高速回転させながら横方向に移動させると、チェーンポスト５よりも幅広なカッタビット６と同じ幅の掘削溝８が掘削される。またチェーンポスト５の先端部には固化液を吐出する吐出口５ａが形成され、ここから吐出された固化液が掘削土と混合されて固化液入りスラリーが造成される。
【０００８】
また壁形成用柱材４はプレキャストコンクリート製で、長さ方向に中空部９が形成されて筒状になっており、接着面には打ち継ぎ溝１０が形成されている。
【０００９】
この地中連続壁の構築工法は、はじめに、上記の掘削機８で先行壁用の掘削溝１１を掘削する。この掘削とともにチェーンポスト５先端の吐出口５ａから吐出した固化液を掘削土に混合・攪拌して、固化液入りスラリー３を造成する。
【００１０】
次に、図３に示すように、この掘削溝１１に壁形成用柱材４を連続的に設置して所定の長さの先行壁１２を構築するとともに、この先行壁１２の端面、すなわち後行壁との打ち継ぎ面１３に仮設用柱材１４を密着状に設置する。この先行壁１２は一日の工程で施工できる程度のものであり、この工程の終わりに、翌日または次の工程で構築する後行壁との打ち継ぎ面１３に剥離剤を塗布した仮設用柱材１４を設置する。なお、この仮設用柱材１４を設置した段階で、掘削機８は先行壁用の掘削溝１１における退避掘削部１５に退避させておく。
【００１１】
この仮設用柱材１４は、図４に示すように、壁形成用柱材４よりも幅広な平面矩形の筒体であり、底面が一方側から先行壁１２に密着される側に向かって下側に傾斜して形成されている。このように仮設用柱材１４を壁形成用柱材４よりも幅広にしたのは、後行壁用の壁形成用柱材４を挿入し易くするためである。また仮設用柱材１４の内部は長さ方向に沿って設けた隔壁１６で二分割され、一方の分割室１７には底蓋１８が設けられてモルタルなどの充填材１９が充填されている。
【００１２】
したがって、仮設用柱材１４を先行壁の打ち継ぎ面１３に沿って固化液入りスラリー３内に挿入すると、底蓋１８の反力が仮設用柱材１４を打ち継ぎ面１３側に密着するように作用するので、仮設用柱材１４が打ち継ぎ面１３に密着状に設置される。
【００１３】
さらに仮設用柱材１４は、固化液入りスラリー３への挿入を容易にするために、全体として先細状に形成することもできる。なお、仮設用柱材１４は底蓋１８を設けずに、底面が一方側から先行壁１２に密着される側に向かって下側に傾斜した筒体であってもよい。
【００１４】
このように先行壁１２の壁形成用柱材４を設置した後、１０〜２０時間経過すると、固化液入りスラリー３が固化してソイルセメント２０となる。
【００１５】
次に、後行壁の構築工程として、図５に示すように、先行壁の打ち継ぎ面１３に設置した仮設用柱材１４をソイルセメント２０から引き抜くと、これが周面に塗布した剥離剤により簡単に引き抜ける。この引き抜きにより、先行壁の打ち継ぎ面１３には連結用空隙部２１が形成される。また、この引き抜きは仮設用柱材１４を全体として先細状にした場合にも簡単にできる。
【００１６】
そして、図６に示すように、先行壁用の掘削溝１１における退避掘削部１５に退避させておいた掘削機８を後戻りさせて連結用空隙部２１まで後戻り掘削すると、打ち継ぎ面１３を傷つけることなく、ソイルセメント２０を掘削することができるとともに、ソイルセメント２０の付着のないきれいな打ち継ぎ面１３を形成することもできる。
【００１７】
次に、この後戻り掘削時にチェーンポスト５先端の吐出口５ａから吐出した固化液を掘削土に混合・攪拌して、固化液入りスラリー３を造成するとともに、退避掘削部１５から先の地山２２を掘削して後行壁用の掘削溝２３を掘削する。
【００１８】
次に、図７に示すように、固化液入りスラリー３が造成された後行壁用の掘削溝２３に壁形成用柱材４を連続的に設置して、所定の長さの後行壁２４を構築する。この壁形成用柱材４は、はじめに先行壁の打ち継ぎ面１３に設置するが、この打ち継ぎ面１３にはソイルセメント２０が付着していないため、精度良く密着することができる。
【００１９】
そして、図８に示すように、この後行壁２４の端面、すなわち次工程で構築される後行壁との打ち継ぎ面１３に、上記と同様の方法で仮設用柱材１４を密着させて設置するとともに、掘削機８を後行壁用の掘削溝２３における退避掘削部１５に退避させると、後行壁２４の構築工程、または一日の工程が完了する。
【００２０】
このように上記の工程を順次繰り返すことにより、壁形成用柱材４による地中連続壁２５を構築することができる。以上のように先行壁１２と後行壁２４との打ち継ぎ面１３における連結が簡単かつ精度良く行えるので、工期の短縮および工費の節減を図ることができる。
【図面の簡単な説明】
【００２１】
【図１】地中連続壁の構築工法の斜視図である。
【図２】掘削機の要部の概略図である。
【図３】先行壁の打ち継ぎ面に仮設用柱材を設置した断面図である。
【図４】仮設用柱材を示すものであり、（１）は打ち継ぎ面に設置した仮設用柱材の垂直方向の断面図、（２）は同水平方向の断面図である。
【図５】（１）は仮設用柱材を引き抜く断面図、（２）は仮設用柱材を引き抜いた断面図である。
【図６】（１）は後戻り掘削した断面図、（２）は後行壁用の掘削溝の断面図である。
【図７】（１）は先行壁の打ち継ぎ面に後行壁の壁形成用柱材を設置する断面図、（２）は後行壁を構築した断面図である。
【図８】後行壁の打ち継ぎ面に仮設用柱材を設置した断面図である。
【図９】従来の地中連続壁の構築工法の断面図である。
【符号の説明】
【００２２】
１  地盤
２、１１、２３、２６  掘削溝
３、２７  固化液入りスラリー
４、２８  壁形成用柱材
５  チェーンポスト
５ａ  吐出口
６  カッタービット
７  チェーン
８  横行式掘削機
９  中空部
１０  打ち継ぎ溝
１２  先行壁
１３  打ち継ぎ面
１４  仮設用柱材
１５  退避掘削部
１６  隔壁
１７  分割室
１８  底蓋
１９  充填材
２０  ソイルセメント
２１  連結用空隙部
２２  地山
２４  後行壁
２５、２９  地中連続壁
【図１】
2006070608.tif 000003
【図２】
2006070608.tif 000004
【図３】
2006070608.tif 000005
【図４】
2006070608.tif 000006
【図５】
2006070608.tif 000007
【図６】
2006070608.tif 000008
【図７】
2006070608.tif 000009
【図８】
2006070608.tif 000010
【図９】
2006070608.tif 000011